(57)【要約】【課題】  システム構成が変化した場合でも、ファクシミリの画データを受信できない装置でその画データを容易に受信可能とするファクシミリ受信システムを提供する。【解決手段】  ファクシミリ機能付きの情報端末装置１は電話回線２００からＦＡＸデータを受信すると、生成部１４にてブロードキャストのデータを作成し、ＬＡＮ１００にブロードキャストする。ファクシミリ機能なしの情報端末装置２はブロードキャストのデータを受信すると、解析部２３にてそのデータを解析し、生成部２４にて応答条件と発信者情報との比較が一致していれば、ブロードキャストの応答を生成し、ＬＡＮ１００に送信する。ファクシミリ機能付きの情報端末装置１はブロードキャストの応答を受信すると、データ変換部１５にて転送データを作成し、ファクシミリ機能なしの情報端末装置２に送信する。【選択図】      図１                                                  
2005268976.tif 000002
【特許請求の範囲】
【請求項１】
ファクシミリ機能付きの情報端末装置とファクシミリ機能なしの情報端末装置とからなるファクシミリ受信システムであって、
前記ファクシミリ機能にて受信したファクシミリデータの転送先を特定するためにブロードキャストを用いて探索を行う手段を前記ファクシミリ機能付きの情報端末装置に有することを特徴とするファクシミリ受信システム。
【請求項２】
前記ブロードキャストは、少なくとも発信者番号通知とダイヤルイン番号と付加番号とを含む発信者情報が添付されたことを特徴とする請求項１記載のファクシミリ受信システム。
【請求項３】
前記発信者情報と予め設定された応答条件とが一致した時に前記ブロードキャストに応答する手段を前記ファクシミリ機能なしの情報端末装置に含むことを特徴とする請求項２記載のファクシミリ受信システム。
【請求項４】
前記ブロードキャストへの応答の受信時に前記受信したファクシミリデータを前記転送先に転送する転送手段を前記ファクシミリ機能付きの情報端末装置に含むことを特徴とする請求項３記載のファクシミリ受信システム。
【請求項５】
前記転送手段は、予め設定された一定期間に応答した転送先の装置に前記受信したファクシミリデータを転送することを特徴とする請求項４記載のファクシミリ受信システム。
【請求項６】
ファクシミリ機能を含む情報端末装置であって、前記ファクシミリ機能にて受信したファクシミリデータの転送先を特定するためにブロードキャストを用いて探索を行う手段を有することを特徴とする情報端末装置。
【請求項７】
前記ブロードキャストは、少なくとも発信者番号通知とダイヤルイン番号と付加番号とを含む発信者情報が添付されたことを特徴とする請求項６記載の情報端末装置。
【請求項８】
前記発信者情報と予め設定された応答条件とが一致した時に前記転送先から送られてくる前記ブロードキャストに対する応答の受信時に前記受信したファクシミリデータを当該転送先に転送する転送手段を含むことを特徴とする請求項７記載の情報端末装置。
【請求項９】
前記転送手段は、予め設定された一定期間に応答した転送先の装置に前記受信したファクシミリデータを転送することを特徴とする請求項８記載の情報端末装置。
【請求項１０】
ファクシミリ機能付きの情報端末装置とファクシミリ機能なしの情報端末装置とからなるシステムにおいてファクシミリを受信するためのファクシミリ受信方法であって、前記ファクシミリ機能付きの情報端末装置において、前記ファクシミリ機能にて受信したファクシミリデータの転送先を特定するためにブロードキャストを用いて探索を行うことを特徴とするファクシミリ受信方法。
【請求項１１】
前記ブロードキャストは、少なくとも発信者番号通知とダイヤルイン番号と付加番号とを含む発信者情報が添付されたことを特徴とする請求項１０記載のファクシミリ受信方法。
【請求項１２】
前記ファクシミリ機能なしの情報端末装置において、前記発信者情報と予め設定された応答条件とが一致した時に前記ブロードキャストに応答することを特徴とする請求項１１記載のファクシミリ受信方法。
【請求項１３】
前記ファクシミリ機能付きの情報端末装置において、前記ブロードキャストへの応答の受信時に前記受信したファクシミリデータを転送することを特徴とする請求項１２記載のファクシミリ受信方法。
【請求項１４】
前記ファクシミリデータを転送する際に、予め設定された一定期間に応答した転送先の装置に前記受信したファクシミリデータを転送することを特徴とする請求項１３記載のファクシミリ受信方法。
【発明の詳細な説明】
【技術分野】
【０００１】
本発明はファクシミリ受信システム、情報端末装置及びそれらに用いるファクシミリ受信方法に関し、特にファクシミリ装置を中心に各部署に受信装置を置いて画データの転送を行うファクシミリ受信システムに関する。
【背景技術】
【０００２】
従来、ファクシミリ装置においては、各部署に一台ずつあったものの、近年の電子メールの普及等によってファクシミリ装置の利用が少なくなってきている。しかしながら、ファクシミリ装置の利用をなくすわけには行かず、一つの方法として、数部署に一つのファクシミリ装置を共用することになる。
【０００３】
この場合、ファクシミリ装置を中心に各部署に受信装置を置き、ファクシミリ装置から画データを配信する方法が考えられる。この方法では、中心においたファクシミリ装置にて転送条件と転送先とを記憶しておき、ファクシミリ装置が受信した画データをその転送条件によって転送するというものである。
【０００４】
上記のような方法としては、送信側（ＦＡＸ  Ｇ／Ｗ側）で、転送先とそのアドレスとを示すテーブルを予め持っており、このテーブルに基づいて転送を行う方法（例えば、特許文献１，２参照）等が提案されている。
【０００５】
【特許文献１】特開２０００−２２４３５４号公報
【特許文献２】特開２００２−１１１９５０号公報
【発明の開示】
【発明が解決しようとする課題】
【０００６】
上述した従来のファクシミリ装置では、数部署に一つのファクシミリ装置を共用する場合、ファクシミリ装置にて集中的に処理できる反面、転送先の受信装置が変更されたりした場合にファクシミリ装置にある転送条件をそのつど変更しなければならないという問題がある。上記の特許文献１，２に記載の技術でも、転送先の受信装置が変更されると、テーブルの更新が必要となる。
【０００７】
そこで、本発明の目的は上記の問題点を解消し、システム構成が変化した場合でも、ファクシミリの画データを受信できない装置でその画データを容易に受信することができるファクシミリ受信システム、情報端末装置及びそれらに用いるファクシミリ受信方法を提供することにある。
【課題を解決するための手段】
【０００８】
本発明によるファクシミリ受信システムは、ファクシミリ機能付きの情報端末装置とファクシミリ機能なしの情報端末装置とからなるファクシミリ受信システムであって、
前記ファクシミリ機能にて受信したファクシミリデータの転送先を特定するためにブロードキャストを用いて探索を行う手段を前記ファクシミリ機能付きの情報端末装置に備えている。
【０００９】
本発明による情報端末装置は、ファクシミリ機能を含む情報端末装置であって、前記ファクシミリ機能にて受信したファクシミリデータの転送先を特定するためにブロードキャストを用いて探索を行う手段を備えている。
【００１０】
本発明によるファクシミリ受信方法は、ファクシミリ機能付きの情報端末装置とファクシミリ機能なしの情報端末装置とからなるシステムにおいてファクシミリを受信するためのファクシミリ受信方法であって、前記ファクシミリ機能付きの情報端末装置において、前記ファクシミリ機能にて受信したファクシミリデータの転送先を特定するためにブロードキャストを用いて探索を行っている。
【００１１】
すなわち、本発明のファクシミリ受信システムは、ＬＡＮ（Ｌｏｃａｌ  Ａｒｅａ  Ｎｅｔｗｏｒｋ）を経由して繋がっているファクシミリ機能付きの情報端末装置とファクシミリ機能なしの情報端末装置とを利用している。
【００１２】
ファクシミリ機能なしの情報端末装置にてファクシミリ機能を受信しようとする場合には、ファクシミリ機能付きの情報端末装置でファクシミリを受信し、これをファクシミリ機能なしの情報端末装置に転送することで実現している。
【００１３】
上記のように、本発明のファクシミリ受信システムは、ファクシミリ機能付きの情報端末装置にどの装置へ転送するかどうかを決めるための転送テーブルを予め持たず、そのつど転送先を決定して転送することを特徴とする。
【００１４】
より具体的に説明すると、本発明のファクシミリ受信システムでは、ファクシミリの画データの受信が可能なファクシミリ機能付きの情報端末装置と、ファクシミリの画データの受信ができずかつＬＡＮを介して画像の転送のみが可能なファクシミリ機能なしの情報端末装置を用意している。
【００１５】
本発明のファクシミリ受信システムでは、ファクシミリ機能付きの情報端末装置とファクシミリ機能なしの情報端末装置とをＬＡＮで繋げ、それらの装置間で画像転送を行うことで、すべての装置でファクシミリの画データの受信を行うことが可能となる。
【００１６】
ファクシミリ機能なしの情報端末装置でファクシミリの画データを受信する場合には以下のように動作する。ファクシミリ機能付きの情報端末装置はファクシミリの画データを受信すると、受信装置の探索を行うためにファクシミリ送信者の情報の入ったブロードキャストを行う。
【００１７】
ファクシミリ機能なしの情報端末装置では、ファクシミリの画データの送信者の情報を基に受信を行うかどうかを判断し、このブロードキャストの応答を返す。ファクシミリ機能付きの情報端末装置は応答のあったファクシミリ機能なしの情報端末装置に対してファクシミリの画データを転送する。ファクシミリ機能なしの情報端末装置はＬＡＮ上のファクシミリの画データを受信し、これを印刷する。
【００１８】
これによって、本発明のファクシミリ受信システムでは、ファクシミリを受信できない装置であっても、ファクシミリの受信が可能となる。つまり、本発明のファクシミリ受信システムでは、ブロードキャストにて送信先を検索し、ファクシミリ機能付きの情報端末装置で受信したファクシミリの画データをファクシミリ機能なしの情報端末装置に転送を行うことで、ファクシミリの画データを受信させる。
【００１９】
よって、本発明のファクシミリ受信システムでは、送信先を固定せず、送信先を必ず検索するため、ネットワーク（システム）の構成が変化した場合でもファクシミリの画データの転送が可能となる。
【００２０】
また、本発明のファクシミリ受信システムでは、ファクシミリの転送を行う時、ファクシミリの画データの転送元にて転送情報を持つ必要がない。本発明のファクシミリ受信システムでは、上記のように、ファクシミリ機能付きの情報端末装置で受信したファクシミリの画データをファクシミリ機能なしの情報端末装置に転送を行うことで、ファクシミリの画データを転送しようとするものである。転送情報は転送先で個々に持つことによって、転送先の装置、つまりファクシミリ機能なしの情報端末装置で設定を容易に変えることが可能となる。
【発明の効果】
【００２１】
本発明は、以下に述べるような構成及び動作とすることで、システム構成が変化した場合でも、ファクシミリの画データを受信できない装置でその画データを容易に受信することができるという効果が得られる。
【発明を実施するための最良の形態】
【００２２】
次に、本発明の実施例について図面を参照して説明する。図１は本発明の一実施例によるファクシミリ受信システムの構成を示すブロック図である。図１において、本発明の一実施例によるファクシミリ受信システムはファクシミリ機能付きの情報端末装置１と、ファクシミリ機能なしの情報端末装置２とから構成されている。
【００２３】
ファクシミリ機能付きの情報端末装置１は電話回線２００に接続されており、ファクシミリの画データの受信が可能である。また、ファクシミリ機能付きの情報端末装置１とファクシミリ機能なしの情報端末装置２とはそれぞれ、ＬＡＮ（Ｌｏｃａｌ  Ａｒｅａ  Ｎｅｔｗｏｒｋ）１００に接続されており、互いにデータの送受信が可能である。
【００２４】
ファクシミリ機能付きの情報端末装置１はＬＡＮ１００に対してデータ送受信を制御するためのＬＡＮ制御部１１と、ブロードキャストのデータや画データを記憶しておく記憶部１２と、ブロードキャストへの応答の解析等を行う解析部１３と、ブロードキャストや転送データの生成を行う生成部１４と、ファクシミリ受信で受信した画データを転送データに変換するためのデータ変換部１５と、ファクシミリ受信の制御を行うモデム制御部１６とから構成されている。
【００２５】
ＬＡＮ制御部１１はブロードキャスト１０１の送信、ブロードキャストの応答１０２の受信、転送データ１０３の送信の各制御を行う。解析部１３はファクシミリ機能なしの情報端末装置２から受信するブロードキャストの応答１０２のデータを解析し、要求ＩＤ（識別情報）及び要求先ＩＰ（Ｉｎｔｅｒｎｅｔ  Ｐｒｏｔｏｃｏｌ）アドレスを取出す。
【００２６】
生成部１４は要求ＩＤ、自装置ＩＰアドレス、ＴＳＩ（Ｔｉｍｅ  Ｓｌｏｔ  Ｉｎｔｅｒｃｈａｎｇｅｒ）、発信者番号通知、ダイヤルイン番号、付加番号からブロードキャスト１０１を作成する。データ変換部１５は自装置ＩＰアドレス（要求元ＩＰアドレス）、要求先ＩＰアドレス、画データから転送データ１０３を作成する。モデム制御部１６はファクシミリの画データを受信し、画データ、ＴＳＩ、発信者番号通知、ダイヤルイン番号、付加番号を取出す。
【００２７】
ファクシミリ機能なしの情報端末装置２はＬＡＮ１００に対してデータを送受信を制御するためのＬＡＮ制御部２１と、ブロードキャストや画データを記憶しておく記憶部２２と、ブロードキャストの解析等を行う解析部２３と、ブロードキャストの応答を生成する生成部２４と、転送データを画データに変換するためのデータ変換部２５と、変換された画データを印刷するための印刷部２６とから構成されている。
【００２８】
ＬＡＮ制御部２１はブロードキャスト１０１の受信、ブロードキャストの応答１０２の送信、転送データ１０３の受信の各制御を行う。解析部２３はファクシミリ機能付きの情報端末装置１から受信するブロードキャスト１０１のデータを解析し、要求ＩＤ、要求元ＩＰアドレス、ＴＳＩ、発信者番号通知、ダイヤルイン番号、付加番号、Ｆコードを取出す。
【００２９】
生成部２４は要求ＩＤ、自装置ＩＰアドレスからブロードキャストの応答１０２を作成する。データ変換部２５は転送データ１０３から画データを取出す。印刷部２６は取出された画データを印刷する。
【００３０】
図２は図１の記憶部１２の構成例を示す図である。図２において、記憶部１２はモデム制御部１６にて相手ファクシミリ装置から受信した画データ１２１と、ブロードキャスト１０１に付加するための要求ＩＤ１２２と、ファクシミリ機能付きの情報端末装置１のＩＰアドレスである自装置ＩＰアドレス１２３と、ＴＳＩ１２４と、発信者番号通知１２５と、ダイヤルイン番号１２６と、付加番号１２７と、Ｆコード１２８と、生成部１４で作成されたブロードキャスト１０１と、ＬＡＮ制御部１１で受信したブロードキャストの応答１０２と、ブロードキャストの応答１０２の送信元のＩＰアドレスである要求先ＩＰアドレス１２９と、画データ１２１をファクシミリ機能なしの情報端末装置２に送信するための転送データ１０３とを蓄積している。
【００３１】
図３は図１の記憶部２２の構成例を示す図である。図３において、記憶部２２はＬＡＮ制御部２１で受信したブロードキャスト１０１と、ブロードキャスト１０１を解析することで取出される要求ＩＤ２２２と、要求元ＩＰアドレス２２３と、ＴＳＩ２２４と、発信者番号通知２２５と、ダイヤルイン番号２２６と、付加番号２２７と、Ｆコード２２８と、ブロードキャスト１０１に対するブロードキャストの応答１０２と、ファクシミリ機能なしの情報端末装置２のＩＰアドレスである自装置ＩＰアドレス２２９と、ブロードキャストの応答１０２を返すかどうかを決定するための応答条件２３０と、ＬＡＮ制御部２１で受信した転送データ１０３と、転送データ１０３から取出した画データ２２１とを蓄積している。
【００３２】
図４は本発明の一実施例で用いるブロードキャスト１０１のデータ構成を示す図である。図４において、要求ＩＤ３０１にはＬＡＮ１００上でユニークな番号が採番されて設定される。この場合、要求ＩＤ３０１はユニークなＩＤであればよく、例えば、情報端末装置のＩＰアドレスに日時分秒を加えた文字列等を利用すればよい。
【００３３】
要求元のＩＰアドレス３０２にはブロードキャスト１０１を送信した情報端末装置のＩＰアドレスが設定される。本実施例ではファクシミリ機能付きの情報端末装置１のＩＰアドレスを、要求元のＩＰアドレス３０２として設定している。
【００３４】
ＴＳＩ３０３にはファクシミリ信号のＴＳＩに設定されるＦＡＸ（ファクシミリ）の発信元を示すＩＤが設定される。ＴＳＩの情報がない時にはブランクが設定される。
【００３５】
発信者番号通知３０４にはファクシミリの着信時に通知される発信者番号通知が設定される。同様に、ダイヤルイン番号、付加番号、Ｆコードの情報が、それぞれダイヤルイン番号３０５、付加番号３０６、Ｆコード３０７として設定される。これらの情報がない場合にはブランクが設定される。ここでは、現在、電話またはＦＡＸのサービスとして付加される情報について記述したが、これ以外に関係する情報も設定可能である。
【００３６】
図５は本発明の一実施例で用いるブロードキャストの応答１０２のデータ構成を示す図である。図５において、要求ＩＤ４０１には対応するブロードキャスト１０１の要求ＩＤ３０１と同じものが設定される。
【００３７】
要求先のＩＰアドレス４０２にはブロードキャストの応答１０２を送信した情報端末装置のＩＰアドレスが設定される。本実施例ではファクシミリ機能なしの情報端末装置２のＩＰアドレスを、要求先のＩＰアドレス４０２として設定している。
【００３８】
図６は本発明の一実施例で用いる転送データ１０３のデータ構成を示す図である。図６において、要求先ＩＰアドレス５０２にはブロードキャストの応答１０２に示された要求先のＩＰアドレス４０２が設定される。本実施例ではファクシミリ機能なしの情報端末装置２のＩＰアドレスを、要求先ＩＰアドレス５０２として設定している。
【００３９】
要求元ＩＰアドレス５０３には転送データ１０３を送信した情報端末装置のＩＰアドレスが設定される。本実施例ではファクシミリ機能付きの情報端末装置１のＩＰアドレスを、要求元ＩＰアドレス５０３として設定している。
【００４０】
要求ＩＤ５０１にはブロードキャスト１０１の要求ＩＤ３０１が設定される。画データ５０４にはファクシミリ機能付きの情報端末装置で受信した画データが付加される。本実施例ではファクシミリ機能付きの情報端末装置１で受信したファクシミリの画データ１２１を画データ５０４として付加している。
【００４１】
画データ５０４は転送データ１０３として扱いやすい形式であればよく、ＴＩＦＦ（Ｔａｇｇｅｄ  Ｉｍａｇｅ  Ｆｉｌｅ  Ｆｏｒｍａｔ）やＰＤＦ（Ｐｏｒｔａｂｌｅ  Ｄｏｃｕｍｅｎｔ  Ｆｏｒｍａｔ）といった画像ファイルの形式に変換をしたものがある。また、転送データ１０３としては、上記のような構成データが用意されていればよく、転送するのに適した形であれば、テキスト、バイナリ等のどのような形でもよい。
【００４２】
図７は本発明の一実施例で用いる応答条件２３０を示す図である。図７において、応答条件２３０は設定６０１と設定値６０２とからなる。設定６０１にはＴＳＩ、発信者番号通知、ダイヤルイン番号、付加番号、Ｆコードを示す識別コードが設定される。設定値６０２には設定６０１に対する値が設定される。
【００４３】
この応答条件２３０は複数用意することができ、ブロードキャスト１０１を解析した結果として出てくるＴＳＩ２２４、発信者番号通知２２５、ダイヤルイン番号２２６、付加番号２２７、Ｆコード２２８と比較するものである。
【００４４】
図８は本発明の一実施例によるファクシミリ受信システムの動作を示す図である。これら図１〜図８を参照して本発明の一実施例によるファクシミリ受信システムの動作について説明する。
【００４５】
まず、ファクシミリ機能付きの情報端末装置１は電話回線２００からファクシミリデータ（以下、ＦＡＸデータとする）２０１をモデム制御部１６を通して受信する。ファクシミリ機能付きの情報端末装置１は受信したＦＡＸデータ２０１をいったん記憶部１２に画データ１２１として蓄積する。
【００４６】
また、ファクシミリ機能付きの情報端末装置１はモデム制御部１６を通して、ＦＡＸデータ２０１の発信者からの情報であるＴＳＩ、発信者番号通知、ダイヤルイン番号、付加番号、Ｆコードを受信すると、ＦＡＸデータ２０１と同様に、それぞれＴＳＩ１２４、発信者番号通知１２５、ダイヤルイン番号１２６、付加番号１２７、Ｆコード１２８として記憶部１２に蓄積する。以下の説明では、ＴＳＩ１２４、発信者番号通知１２５、ダイヤルイン番号１２６、付加番号１２７、Ｆコード１２８を発信者情報とする。
【００４７】
ファクシミリ機能付きの情報端末装置１は生成部１４にてブロードキャスト１０１のデータを作成する。生成部１４は要求ＩＤ１２２を採番して用意するとともに、記憶部１２に蓄積されている発信者情報を利用し、図２に示すブロードキャスト１０１を作成する。
【００４８】
自装置ＩＰアドレス１２３は要求元のＩＰアドレス３０２として設定される。発信者情報は発信者から通知されるものや電話回線２００の契約によって取得できるものであるため、必ずしもファクシミリ機能付きの情報端末装置１に通知されることはない、通知されなかったものについては、ブランクのデータとして処理を行う。
【００４９】
ファクシミリ機能付きの情報端末装置１はブロードキャスト１０１が生成されたら、このブロードキャスト１０１をＬＡＮ制御部１１を通してＬＡＮ１００にブロードキャストする。
【００５０】
ファクシミリ機能なしの情報端末装置２はブロードキャスト１０１をＬＡＮ制御部２１を通して受信する。ファクシミリ機能なしの情報端末装置２は受信したブロードキャスト１０１をいったん記憶部２２に蓄積される。
【００５１】
ファクシミリ機能なしの情報端末装置２は解析部２３にてブロードキャスト１０１を解析し、要求ＩＤ、要求元ＩＰアドレス、発信者情報を取出し、それぞれ要求ＩＤ２２２、要求元ＩＰアドレス２２３、ＴＳＩ２２４、発信者番号通知２２５、ダイヤルイン番号２２６、付加番号２２７、Ｆコード２２８として記憶部２２に蓄積する。
【００５２】
ファクシミリ機能なしの情報端末装置２は生成部２４にて応答条件２３０と発信者情報とを比較する。生成部２４は応答条件２３０に一致した発信者情報があれば、ブロードキャスト１０１に応答を返すため、ブロードキャストの応答１０２の生成を行う。生成部２４は応答条件２３０に一致した発信者情報がなければ、ブロードキャストの応答１０２の生成を行わない。
【００５３】
生成部２４はブロードキャストの応答１０２に、要求ＩＤ４０１として要求ＩＤ２２２を設定し、要求元のＩＰアドレス４０２として自装置ＩＰアドレス２２２９を設定する。
【００５４】
ファクシミリ機能なしの情報端末装置２は生成されたブロードキャストの応答１０２をいったん記憶部２２に蓄積し、ＬＡＮ制御部２１を通してファクシミリ機能付きの情報端末装置１に送信する。
【００５５】
ファクシミリ機能付きの情報端末装置１はブロードキャストの応答１０２をＬＡＮ制御部１１を通して受信し、受信したブロードキャストの応答１０２をいったん記憶部１２に蓄積する。ファクシミリ機能付きの情報端末装置１はそのブロードキャストの応答１０２を解析部１３にて解析し、要求ＩＤ４０１と要求元のＩＰアドレス４０２とを取出す。
【００５６】
ファクシミリ機能付きの情報端末装置１は要求ＩＤ４０１が要求ＩＤ１２２と同じかどうかの判断を行い、同じ要求ＩＤと分かると、要求元のＩＤアドレス４０２を記憶部１２に要求先ＩＰアドレス１２９として蓄積する。
【００５７】
ファクシミリ機能付きの情報端末装置１は要求先が見つかったことを受けて、データ変換部１５にて転送データ１０３を作成して記憶部１２に蓄積する。ファクシミリ機能付きの情報端末装置１は転送データ１０３の要求先ＩＰアドレス５０２として要求先ＩＰアドレス１２９を、要求元ＩＰアドレス５０３として自装置ＩＰアドレス１２３を、要求ＩＤ５０１として要求ＩＤ１２２をそれぞれ設定する。また、画データ５０４としては画データ１２１を添付する。
【００５８】
本実施例では電子メールのフォーマットに似た形にして転送データ１０３を生成しているが、特に転送が可能なフォーマットであればどのようなフォーマットでもよい。そして、転送データ１０３はＬＡＮ制御部１１を通してファクシミリ機能なしの情報端末装置２に送信される。
【００５９】
ファクシミリ機能付きの情報端末装置１は転送データ１０３の送信後、記憶部１２に蓄積されている画データ１２１、発信者情報、ブロードキャスト１０１等の情報が不要となるため、自装置ＩＰアドレス１２３を残して他の情報を削除する。
【００６０】
ファクシミリ機能なしの情報端末装置２は転送データ１０３をＬＡＮ制御部２１を通して受信すると、受信した転送データ１０３をいったん記憶部２２に蓄積する。転送データ１０３からはデータ変換部２５にて画データ２２１が取出される。最後に、取出された画データ２２１は印刷部２６にて印刷される。
【００６１】
このように、本実施例では、ファクシミリを受信できない情報端末装置であっても、ファクシミリの画データを受信することができる。つまり、本実施例では、ブロードキャスト１０１にて送信先を検索し、ファクシミリ機能付きの情報端末装置１で受信したファクシミリの画データをＬＡＮ１００を通してファクシミリ機能なしの情報端末装置２に転送することで、ファクシミリ機能なしの情報端末装置２にファクシミリの画データを受信させることができる。よって、本実施例では、送信先を固定せず、送信先を必ず検索するため、ネットワーク（システム）の構成が変化した場合でも、ファクシミリの画データの転送が可能となる。
【００６２】
また、本実施例では、ファクシミリの画データの転送を行う時、ファクシミリの画データの転送元にて転送情報を持つ必要がない。本実施例では、上述したように、ファクシミリ機能付きの情報端末装置１で受信したファクシミリの画データをファクシミリ機能なしの情報端末装置２に転送することで、ファクシミリの画データを転送しようとするものである。その際、転送情報は転送先で個々に持つことによって、転送先の情報端末装置、つまりファクシミリ機能なしの情報端末装置２で設定を容易に変えることができる。
【００６３】
図９は本発明の他の実施例によるファクシミリ受信システムの構成を示すブロック図であり、図１０は本発明の他の実施例によるファクシミリ機能付きの情報端末装置の記憶部の構成を示す図である。図９において、本発明の他の実施例はファクシミリ機能付きの情報端末装置３にタイマ制御部３１を設け、記憶部３２に複数のブロードキャストの応答１０２−１〜１０２−ｎを蓄積可能とした以外は図１に示す本発明の一実施例によるファクシミリ受信システムと同様の構成となっており、同一構成要素には同一符号を付してある。また、同一構成要素の動作は本発明の一実施例と同様である。
【００６４】
タイマ制御部３１はブロードキャスト１０１を送信してからブロードキャストの応答１０２を受け付けるまでの時間のカウントダウンを行うタイマである。これによって、本実施例では、ブロードキャストの応答１０２を受け付ける時間を指定することができるようにしている。
【００６５】
ファクシミリ機能付きの情報端末装置３において、ＦＡＸデータを受信してブロードキャスト１０１を送信する部分までの動作は、上述した本発明の一実施例と同様であるので、その説明を省略する。ブロードキャスト１０１を送信すると、タイマ制御部３１はタイマのカウントダウンを開始する。
【００６６】
ファクシミリ機能付きの情報端末装置３はカウントがゼロになった時点でブロードキャストの応答１０２の受信を受け付けないようにする。ファクシミリ機能なしの情報端末装置２はタイマのカウントがゼロになるまで、ブロードキャスト１０１の受信を受け付ける。
【００６７】
ファクシミリ機能付きの情報端末装置３において、ブロードキャスト１０２を受信してから転送データ１０３を送信する処理までの動作は、上述した本発明の一実施例と同様である。上述した本発明の一実施例では、転送データ１０３が送信されると、記憶部１２に蓄積されている自装置ＩＰアドレス１２３を残し、すべて削除しているが、本実施例では、記憶部３２に蓄積されている画データ１２１、要求ＩＤデータ１２２をも残すようにしている。
【００６８】
これによって、複数のファクシミリ機能なしの情報端末装置２からのブロードキャストの応答１０２に対して転送データ１０３の送信が可能となる。そして、タイマ制御部３１にてタイマのカウントがゼロになった時点で、自装置ＩＰアドレス１２３を残して記憶部３２の内容をすべて削除する。
【００６９】
図１１は本発明の他の実施例によるファクシミリ受信システムの動作を示す図である。これら図９〜図１１を参照して本発明の他の実施例によるファクシミリ受信システムの動作について説明する。
【００７０】
図１１においては複数のファクシミリ機能なしの情報端末装置２−１，２−２からブロードキャストの応答１０２−１，１０２−２が送信される処理を示している。
【００７１】
この場合、ブロードキャストの応答１０２−１，１０２−２を送信した複数のファクシミリ機能なしの情報端末装置２−１，２−２に対しては転送データ１０３−１，１０３−２が送信される。これによって、本実施例では、ファクシミリの同報受信が可能となる。また、従来であれば、同報数には限度が存在していたが、本実施例では、同報数に理論上、制限がなくなる。
【００７２】
図１２は本発明の他の実施例によるファクシミリ受信システムの他の動作を示す図である。図１２において、タイマ制御部３１にてタイマのカウントがゼロになるまでに、複数のファクシミリ機能なしの情報端末装置２−１，２−２からブロードキャストの応答１０２−１，１０２−２が送信されなかった時の処理を示している。
【００７３】
この場合、ファクシミリ機能付きの情報端末装置３からは、どこへも転送データ１０３が送信されることはなく、そのまま、画データは削除されることになる。これによって、本実施例では、発信者がわからないファクシミリの画データやよくわからない発信者からのファクシミリの画データを削除することができる。
【産業上の利用可能性】
【００７４】
本発明は、ファクシミリ装置に限らず、あるデータを複数の宛て先に送信する場合や特定の送信先に送信する場合にも適用することが可能である。
【図面の簡単な説明】
【００７５】
【図１】本発明の一実施例によるファクシミリ受信システムの構成を示すブロック図である。
【図２】図１の記憶部の構成例を示す図である。
【図３】図３は図１の記憶部の構成例を示す図である。
【図４】本発明の一実施例で用いるブロードキャストのデータ構成を示す図である。
【図５】本発明の一実施例で用いるブロードキャストの応答のデータ構成を示す図である。
【図６】本発明の一実施例で用いる転送データのデータ構成を示す図である。
【図７】本発明の一実施例で用いる応答条件を示す図である。
【図８】本発明の一実施例によるファクシミリ受信システムの動作を示す図である。
【図９】本発明の他の実施例によるファクシミリ受信システムの構成を示すブロック図である。
【図１０】本発明の他の実施例によるファクシミリ機能付きの情報端末装置の記憶部の構成を示す図である。
【図１１】本発明の他の実施例によるファクシミリ受信システムの動作を示す図である。
【図１２】本発明の他の実施例によるファクシミリ受信システムの他の動作を示す図である。
【符号の説明】
【００７６】
１，３  ファクシミリ機能付きの情報端末装置
２，２−１，２−２  ファクシミリ機能なしの情報端末装置
１１，２１  ＬＡＮ制御部
１２，２２，３２  記憶部
１３，２３  解析部
１４，２４  生成部
１５，２５  データ変換部
１６  モデム制御部
２６  印刷部
３１  タイマ制御部
１００  ＬＡＮ
１０１  ブロードキャスト
１０２，
１０２−１〜１０２−ｎ  ブロードキャストの応答
１０３，
１０３−１，１０３−２  転送データ
１２１，２２１，５０４  画データ
１２２，２２２，３０１，
４０１，５０１  要求ＩＤ
１２３，２２９  自装置ＩＰアドレス
１２４，２２４，３０３  ＴＳＩ
１２５，２２５，３０４  発信者番号通知
１２６，２２６，３０５  ダイヤルイン番号
１２７，２２７，３０６  付加番号
１２８，２２８，３０７  Ｆコード
１２９，５０２  要求先ＩＰアドレス
２００  電話回線
２２１
２２３，５０３  要求元ＩＰアドレス
２３０  応答条件
３０２  要求元のＩＰアドレス
４０２  要求先のＩＰアドレス
６０１  設定
６０２  設定値
【図１】
2005268976.tif 000003
【図２】
2005268976.tif 000004
【図３】
2005268976.tif 000005
【図４】
2005268976.tif 000006
【図５】
2005268976.tif 000007
【図６】
2005268976.tif 000008
【図７】
2005268976.tif 000009
【図８】
2005268976.tif 000010
【図９】
2005268976.tif 000011
【図１０】
2005268976.tif 000012
【図１１】
2005268976.tif 000013
【図１２】
2005268976.tif 000014